(57)【要約】【課題】携帯型機器から音声出力部への音声信号の伝送に用いられる音声信号伝送用コードとしての機能、及び、携帯型機器のアンテナとして用いられるアンテナ用コードとしての機能を損なうこと無しに、使い勝手の良好な中継コードを提供する。【解決手段】一方の端部が、音声出力部に接続される音声出力用コード３に対して接続され、他方の端部が、携帯型機器に対して接続される携帯型機器用の中継コード１０であって、音声出力用コード３及び携帯型機器と電気的に接続され、携帯型機器から音声出力部への音声信号の伝送に用いられる音声信号伝送用コードＳと、携帯型機器のみと電気的に接続され、携帯型機器のアンテナとして用いられるアンテナ用コードＡＮＴとが一体に構成される。【選択図】図２
2008153856.tif 000002
【特許請求の範囲】
【請求項１】
一方の端部が、音声出力部に接続される音声出力用コードに対して接続され、他方の端部が、携帯型機器に対して接続される携帯型機器用の中継コードであって、
前記音声出力用コード及び前記携帯型機器と電気的に接続され、前記携帯型機器から前記音声出力部への音声信号の伝送に用いられる音声信号伝送用コードと、前記携帯型機器のみと電気的に接続され、前記携帯型機器のアンテナとして用いられるアンテナ用コードとが一体に構成される中継コード。
【請求項２】
第１芯線の周りを第１静電シールドで覆って形成される第１シールド線、及び、第２芯線の周りを第２静電シールドで覆って形成される第２シールド線を並行ケーブルにして構成され、
前記第２芯線は、前記音声信号伝送用コードとして機能し、
前記第１芯線及び前記第１静電シールドと前記第２静電シールドとは、前記アンテナ用コードとして機能するように構成されている請求項１記載の中継コード。
【請求項３】
前記第１シールド線及び前記第２シールド線としてテフロンを使用しないシールド線を使用する請求項２記載の中継コード。
【発明の詳細な説明】
【技術分野】
【０００１】
本発明は、一方の端部が、音声出力部に接続される音声出力用コードに対してコード連結部を介して接続され、他方の端部が、携帯型機器に対してコネクタを介して接続される携帯型機器用の中継コードに関する。
【背景技術】
【０００２】
電話機やラジオなどの様々な携帯型機器で再生される音声を聴くために、イヤホン、ヘッドホン、スピーカなどの音声出力部が用いられている。また、音声出力部と携帯型機器とを接続する音声出力用コードと携帯型機器との間を中継する中継コードが用いられることもある。例えば、特許文献１に記載の中継コードは、一方の端部が、音声出力部に接続される音声出力用コードに対してコード連結部を介して接続され、他方の端部が、携帯型機器に対してコネクタを介して接続されている。更に、特許文献１に記載の中継コードは、携帯型機器から出力される音声信号を音声出力部へ伝送するための音声信号伝送用コードとして用いられるだけでなく、外部から到来する電波を受信して携帯型機器へ入力するためのアンテナとして用いられる。
【０００３】
具体的には、特許文献１では、コード連結部にマイクロホンが収容されており、中継コードは、携帯型機器から音声出力部への音声信号の伝送に用いられる音声信号伝送用コードと、マイクロホンに入力された音声信号を携帯型機器へ伝送する音声信号入力用コードとで構成される。そして、特許文献１では、その音声信号入力用コードをアンテナとして使用している。つまり、特許文献１において、アンテナの長さは音声信号入力用コードの長さで決定される。よって、音声信号入力用コードはアンテナの長さに影響を及ぼさないため、使用者が音声出力部及び音声信号入力用コードを別のものに取り替えたとしてもアンテナの機能に影響は無い。
【０００４】
【特許文献１】特開２００６−２８７７２１号公報
【発明の開示】
【発明が解決しようとする課題】
【０００５】
特許文献１に記載の中継コードは、音声信号入力用コードをアンテナとして用いるため、音声信号入力用コードの長さはアンテナの機能に影響を及ぼさないものの、音声信号伝送用コードの長さはアンテナの機能に影響を及ぼすことになる。つまり、携帯型機器とコード連結部との間の中継コードの長さは、要求されるアンテナの機能に応じて（即ち、音声信号入力用コードの長さに応じて）決定されるため、不必要に長い場合や短い場合などが発生し得る。そのため、携帯型機器に対して、使い勝手の悪い中継コードが装着されることもある。
【０００６】
本発明は、上記の課題に鑑みてなされたものであり、その目的は、携帯型機器から音声出力部への音声信号の伝送に用いられる音声信号伝送用コードとしての機能、及び、携帯型機器のアンテナとして用いられるアンテナ用コードとしての機能を損なうこと無しに、使い勝手の良好な中継コードを提供する点にある。
【課題を解決するための手段】
【０００７】
上記目的を達成するための本発明に係る中継コードの特徴構成は、一方の端部が、音声出力部に接続される音声出力用コードに対して接続され、他方の端部が、携帯型機器に対して接続される携帯型機器用の中継コードであって、
前記音声出力用コード及び前記携帯型機器と電気的に接続され、前記携帯型機器から前記音声出力部への音声信号の伝送に用いられる音声信号伝送用コードと、前記携帯型機器のみと電気的に接続され、前記携帯型機器のアンテナとして用いられるアンテナ用コードとが一体に構成される点にある。但し、本発明において音声出力部とは、イヤホン、ヘッドホン、スピーカなどの様々な音声出力機器を含む。
【０００８】
上記特徴構成によれば、中継コードのうちの上記アンテナ用コードのみが外部から到来する電波を受信するようになる。そして、中継コードのうちの音声信号伝送用コードのみに接続される音声出力用コードはアンテナとして作用しない。つまり、中継コードに対してどのような長さの音声出力用コードを接続しても、中継コードのアンテナとしての特性は変化しない。よって、中継コードに対して様々な種類のイヤホン、ヘッドホン、スピーカなどを有する音声出力用コードを付け替えることが可能になる。
更に、アンテナ用コードは携帯型機器と接続されてさえいればよいので、アンテナ用コードの長さは中継コードの長さと同じである必要はない。よって、アンテナ用コードの長さと中継コードの長さは、それぞれ個別に調節できる。
従って、携帯型機器から音声出力部への音声信号の伝送に用いられる音声信号伝送用コードとしての機能、及び、携帯型機器のアンテナとして用いられるアンテナ用コードとしての機能を損なうこと無しに、使い勝手の良好な中継コードを提供できる。
【０００９】
本発明に係る中継コードの別の特徴構成は、第１芯線の周りを第１静電シールドで覆って形成される第１シールド線、及び、第２芯線の周りを第２静電シールドで覆って形成される第２シールド線を並行ケーブルにして構成され、
前記第２芯線は、前記音声信号伝送用コードとして機能し、
前記第１芯線及び前記第１静電シールドと前記第２静電シールドとは、前記アンテナ用コードとして機能するように構成されている点にある。
【００１０】
上記特徴構成によれば、中継コードが並行ケーブル状に構成されるので、丸コード状に構成する場合に比べて薄く形成でき、柔軟性を持たせることができる。更に、アンテナ用コードが、第１シールド線の第１芯線及び第１静電シールドと第２シールド線の第２静電シールドという複数の導電性媒体で構成されるので、アンテナの受信面積が拡大し、アンテナ感度が向上する。
【００１１】
本発明に係る中継コードの別の特徴構成は、前記第１シールド線及び前記第２シールド線としてテフロンを使用しないシールド線を使用する点にある。
【００１２】
上記特徴構成によれば、テフロンを使用した同軸ケーブルなどのシールド線を使用しないことで、中継コードを安価に作製できる。
【発明を実施するための最良の形態】
【００１３】
以下に本発明に係る中継コードの構成について図面を参照して説明する。図１は、本発明に係る中継コードを用いた携帯型機器の概略構成図であり、図２は、中継コードの構成を説明する図である。
図１に示すように、携帯型機器１は、音声を出力するイヤホン、ヘッドホン、スピーカなどの音声出力部２を有している。そして、音声出力部２は音声出力用コード３の一方の端部に接続され、音声出力用コード３の他方の端部にはプラグ部４が接続される。音声出力用コード３のプラグ部４は、中継コード１０の一方の端部に設けられるコード連結部１２のジャック部１３に接続される。また、中継コード１０の他方の端部にはコネクタ１１が設けられ、このコネクタ１１と携帯型機器１とが接続される。以上のように、中継コード１０は、一方の端部が、音声出力部２に接続される音声出力用コード３に対してコード連結部１２を介して接続され、他方の端部が、携帯型機器１に対してコネクタ１１を介して接続されるように構成されている。
【００１４】
中継コード１０は、音声出力用コード３及び携帯型機器１と電気的に接続され、携帯型機器１から音声出力部２への音声信号の伝送に用いられる音声信号伝送用コードＳと、携帯型機器１のみと電気的に接続され、音声信号の伝送には用いられず、携帯型機器１のアンテナとして用いられるアンテナ用コードＡＮＴとを備えている。よって、この携帯型機器１は、音声信号伝送用コードＳを用いて音声出力部２に対して音声を出力する機能と、アンテナ用コードＡＮＴを用いて外部から到来する電波を受信する機能とを有している。
本実施形態では、携帯型機器１として携帯電話を例示して説明するが、携帯型テレビ、携帯型ラジオ、携帯型情報端末など、音声出力部２に対して音声を出力する機能と、外部から到来する電波を受信する機能とを合わせて備える様々な機器において、本発明に係る中継コード１０を利用できる。また、音声出力部２として、人体に装着するイヤホン型のものを例示するが、人体に装着しない据え置き型のスピーカや、人体に装着するヘッドホン型のものなど様々な形態の音声出力機器を使用できる。
【００１５】
図２に示すように、中継コード１０は、第１芯線２２の周りを第１静電シールド２１で覆って形成される第１シールド線２０、及び、第２芯線３２、３３、３４の周りを第２静電シールド３１で覆って形成される第２シールド線３０を並行ケーブルにして構成される。本実施形態では、第１シールド線２０は、１芯のシールド線であり、第２シールド線３０は３芯のシールド線である。そして、第２シールド線３０の第２芯線３２、３３、３４は、上記音声信号伝送用コードＳとして機能し、第１シールド線２０の第１芯線２２及び第１静電シールド２１と第２シールド線３０の第２静電シールド３１は、上記アンテナ用コードＡＮＴとして機能するように構成されている。
このように、中継コード１０が並行ケーブル状に構成されるので、丸コード状に構成する場合に比べて薄く形成でき、柔軟性を持たせることができる。また、第１シールド線２０及び第２シールド線３０として、テフロンを使用しないシールド線を使用するので、テフロンを使用した同軸ケーブルなどのシールド線を使用した場合に比べて、中継コードを安価に作製できる。
【００１６】
上述のように、本実施形態では、第１シールド線２０の第１芯線２２は１芯であり、第２シールド線３０の第２芯線３２、３３、３４は３芯である。第２芯線３２、３３、３４のそれぞれは、グランド線ＧＮＤ、ステレオ音声の左チャネル線Ｌ−ｃｈ及び右チャネル線Ｒ−ｃｈとして、つまり、音声信号伝送用コードＳとして用いられる。
そして、本実施形態では、アンテナ用コードＡＮＴは３本の導電性媒体（第１芯線２２、第１静電シールド２１、第２静電シールド３１）で構成される。よって、アンテナの受信面積が拡大し、アンテナ感度が向上する。
【００１７】
以上のように、本発明に係る中継コード１０のうちの上記アンテナ用コードＡＮＴのみが外部から到来する電波を受信するようになる。そして、中継コード１０のうちの音声信号伝送用コードＳのみに接続される音声出力用コード３はアンテナとして作用しなくなる。つまり、中継コード１０に対してどのような長さの音声出力用コード３を接続しても、中継コード１０のアンテナとしての特性は変化しない。よって、コード連結部１２に対して様々な種類のイヤホン、ヘッドホン、スピーカなどの音声出力部２などを付け替えることが可能になる。
【００１８】
更に、アンテナ用コードＡＮＴは携帯型機器１と接続されてさえいればよいので、アンテナ用コードＡＮＴの長さは中継コード１０の長さと同じである必要はない。よって、アンテナ用コードＡＮＴの長さと中継コード１０の長さは、それぞれ個別に調節できる。例えば、各アンテナ用コードＡＮＴはモノポールアンテナとして機能するので、その長さは、受信対象とする放送電波の波長λの１／２や１／４とすることが好ましい。ここで、受信対象とする放送電波の周波数がｆ（Ｈｚ）であり、真空中の光速度をｃとすると、その放送電波の波長λは、ｃ／ｆとなる。よって、アンテナの長さは、受信対象とする放送電波の１／２波長とするときにはｃ／２ｆとなり、１／４波長とするときにはｃ／４ｆとなる。但し、放送電波が伝搬するのは真空中ではなく大気中であるので、真空中に比べて電波の速度は遅くなる。
【００１９】
＜別実施形態＞
＜１＞
上記実施形態において、第１シールド線及び第２シールド線の２本の線を並行ケーブルにして中継コードを構成する例について説明したが、シールド線以外の他の線を用いて中継コードを構成してもよい。また、３本以上の線を一体に構成して中継コードを作製してもよい。
【００２０】
＜２＞
上記実施形態において、設置するアンテナ用コードＡＮＴの数及び形態は適宜変更可能である。そして、上記実施形態では、アンテナ用コードＡＮＴがモノポールアンテナとして機能する場合について説明したが、ダイポールアンテナやループアンテナなどの他のアンテナとして機能させるように改変してもよい。
【産業上の利用可能性】
【００２１】
本発明に係る中継コードは、音声を出力するイヤホン、ヘッドホン、スピーカなどの音声出力部を有している携帯型機器のうち、音声信号伝送用コードを用いて音声出力部に対して音声を出力する機能と、アンテナ用コードを用いて外部から到来する電波を受信する機能とを有している機器において利用可能である。
【図面の簡単な説明】
【００２２】
【図１】中継コードを用いた携帯型機器の概略構成図
【図２】中継コードの構成を説明する図
【符号の説明】
【００２３】
１  携帯型機器
２  音声出力部
３  音声出力用コード
１０  中継コード
２０  第１シールド線
２１  第１静電シールド（アンテナ用コード  ＡＮＴ）
２２  第１芯線（アンテナ用コード  ＡＮＴ）
３０  第２シールド線
３１  第２静電シールド（アンテナ用コード  ＡＮＴ）
３２  第２芯線（グランド線  ＧＮＤ、音声信号伝送用コード  Ｓ）
３３  第２芯線（左チャネル線  Ｌ−ｃｈ、音声信号伝送用コード  Ｓ）
３４  第２芯線（右チャネル線  Ｒ−ｃｈ、音声信号伝送用コード  Ｓ）
【図１】
2008153856.tif 000003
【図２】
2008153856.tif 000004